(57)【特許請求の範囲】
【請求項１】
無線ターミナルのデータカード単一ボード上の他の金属配線を有しない半閉鎖領域を分
離するステップと、
前記半閉鎖領域にアンテナ配線を配置するステップと、
を備え、
前記アンテナ配線と前記データカード単一ボードとの間に隙間が存在し、
前記アンテナ配線が前記隙間を介して前記データカード単一ボードと結合しており、
前記アンテナ配線は水平方向に分布しており、配置された該アンテナ配線は、前記半閉鎖領域のプリント配線板上に印刷されているか、前記半閉鎖領域において半田付けされており、
金属結合部分が前記アンテナ配線上を覆っており、前記金属結合部分と前記データカード単一ボードとの間に隙間が存在し、前記金属結合部分が、前記隙間を介して、前記データカード単一ボードと結合して、前記アンテナ配線と前記データカード単一ボードとの間に第２結合が実現されており、
少なくとも一つのアンテナマッチング点が前記アンテナ配線と前記データカード単一ボードとの間に前記隙間に位置され、前記金属結合部分と前記データカード単一ボードとの間の結合点の位置が調整される、無線ターミナルのアンテナ設計方法。
【請求項２】
少なくとも一つのアンテナマッチング点が前記アンテナ配線と前記データカード単一ボードとの間の隙間に配置され、前記アンテナ配線と前記データカード単一ボードとの間の結合点の位置が調整される、請求項１に記載の無線ターミナルのアンテナ設計方法。
【請求項３】
前記半閉鎖領域が前記無線ターミナルのデータ通信インターフェースに隣接する前記データカード単一ボードの一端部に位置している、請求項１に記載の無線ターミナルのアンテナ設計方法。
【請求項４】
無線ターミナルのデータカード単一ボード上に位置すると共に、他の金属配線を有しない半閉鎖領域と、
前記半閉鎖領域に配置されているアンテナ配線と、
前記アンテナ配線上を覆っている金属結合部分と、
を備え、
前記アンテナ配線と前記データカード単一ボードとの間に隙間が存在し、
前記アンテナ配線が前記隙間を介して前記データカード単一ボードと結合しており、
前記アンテナ配線は水平方向に分布しており、配置された該アンテナ配線は、前記半閉鎖領域のプリント配線板上に印刷されているか、前記半閉鎖領域において半田付けされており、
前記金属結合部分と前記データカード単一ボードとの間に隙間が存在し、前記金属結合部分が、前記隙間を介して、前記データカード単一ボードと結合して、前記アンテナ配線と前記データカード単一ボードとの間に第２結合が実現されており、
前記少なくとも一つのアンテナマッチング点が、前記金属結合部分と前記データカード単一ボードとの間の結合点の位置を調整するように構成されている、無線ターミナルのデータカード単一ボード。
【請求項５】
少なくとも一つのアンテナマッチング点が、前記アンテナ配線と前記データカード単一ボードとの間の前記隙間に配置されていると共に、前記アンテナ配線と前記データカード単一ボードとの間の結合点の位置を調整するように構成されている、請求項４に記載の無線ターミナルのデータカード単一ボード。
【請求項６】
前記半閉鎖領域が、前記無線ターミナルのデータ通信インターフェースに隣接する前記データカード単一ボードの一端部に位置している、請求項４に記載の無線ターミナルのデータカード単一ボード。
【発明の詳細な説明】
【技術分野】
【０００１】
本発明は、無線通信技術分野に関し、特に、アンテナ設計方法及び無線ターミナルのデータカード単一ボード（data card single board）に関する。
【背景技術】
【０００２】
アンテナが無線ターミナルの一つのデータカード上に設計されるとき、つぎの技術的な問題が存在する。アンテナ領域の利用可能な空間が狭く、比吸収率（Specific Absorption Rate ：SAR)の値の短距離試験のための必要条件が厳しい。
【０００３】
SARは、１キロメートル当り１つの有機体（人体を含む）によって吸収されることが許容される放射（radiation）の量を示し、放射の人体への影響を示す最も直接的な試験値である。SAR値が低ければ低いほど、放射の吸収の量は少ない。現在のSRA試験規格では、SAR値が試験される必要があるとき、データカードのそれぞれの面からSAR試験のための人体胴体のモデルまでの距離が５ｍｍを超えてはならず、SAR値は1.2 mW/1gを超えてはならない。従って、他の無線性能指数に影響を与えることなく、SAR値を効果的に下げることが緊急に解決されるべき課題である。一方、無線通信は、アンテナの動作バンド幅に対する更なる必要条件を有し、アンテナが、超広帯域（ultra-wideband）で多重動作周波数を同時に有することが好ましい。
【０００４】
現在、アンテナがデータカード上に設計されるとき、内蔵のアンテナは単極型で形成され、逆Fアンテナ(Inverted F Antenna：IFA)、平面逆Fアンテナ（Planar Inverted F Antenna：PIFA）が広く用いられる。このような形状のアンテナは、一般的にデータカードの一端部に位置し、データカード単一ボードはアンテナの「グラウンド（ground）」として機能する。これらは、共に放射体を構成する。
【０００５】
本発明の実行の際に、本発明は、一態様において、従来技術におけるアンテナの設計において、アンテナ放射の近接場エネルギーが集中され、SAR値が相対的に大きくなっていまい、他の態様では、アンテナのバンド幅が制限され、拡大されるバンド幅条件が満たされない。
【発明の概要】
【発明が解決しようとする課題】
【０００６】
本発明の実施形態は、アンテナのSAR値を低減できると共に、広帯域の動作バンド幅を実現するアンテナの設計方法、及び無線ターミナルのデータカード単一ボードを提供する。
【０００７】
本発明は、無線ターミナルのデータカード単一ボード（data card single board）上の他の金属配線（metal wirings）を有しない半閉鎖領域（semi-closed area）を分離する段階と、前記半閉鎖領域にアンテナ配線を配置する段階と、を備え、前記アンテナ配線と前記データカード単一ボードとの間に隙間が存在しており、前記アンテナ配線が、前記隙間を介して前記データカード単一ボードと結合している、無線ターミナルのアンテナの設計方法を提供する。
【０００８】
本発明の実施形態は、無線ターミナルのデータカード単一ボード上に位置すると共に、他の金属配線を有しない半閉鎖領域と、前記半閉鎖領域に配置されているアンテナ配線と、を備え、前記アンテナ配線と前記データカード単一ボードとの間に隙間が存在し、前記アンテナ配線が前記隙間を介して前記データカード単一ボードに結合している、無線ターミナルのデータカード単一ボードを提供する。
【０００９】
本発明に係る実施形態によって提供される技術的な解決案から、他の金属配線を有しない半閉鎖領域は、無線ターミナルのデータカード単一ボード上に分離されており、アンテナ配線が半閉鎖領域に配置されていることが分かる。データカード単一ボードは、一般的に無線ターミナルの中央に位置しており、かかる場合、アンテナ配線から無線ターミナルのカバーまでの距離が最も長い。その結果、アンテナが、SAR試験のための人体胴体モデルから極度に離れ、ＳＡＲ値が低減する。アンテナ配線が隙間を介してデータカード単一ボードと結合し、アンテナ配線における電場エネルギーによって、隙間内にデータカード単一ボードとの複数の共鳴点が生成されるので、広帯域の動作バンド幅が実現される。更に、電場エネルギーは、隙間連結様式（gap-coupling manner）で相対的に長い隙間において分散され、エネルギーの中央集中化を抑制すると共にＳＡＲ値を低減させる目的を達成するのに役に立つ。
【００１０】
本発明に係る実施形態における技術的な解決法をより明確に説明するために、実施形態又は先行技術のための図面を参考して、以下に簡単に説明する。明らかに、添付される図面は、本発明の幾つかの実施形態に過ぎず、当業者は創作的な努力を伴うことなく、これらの図の他の図面が得られ得る。
【図面の簡単な説明】
【００１１】
【図１】本発明の一実施形態に係る無線ターミナルのアンテナ設計方法の概要図である。
【図２】本発明の一実施形態に係る無線ターミナルのデータカード単一ボードの構造概要図である。
【図３】本発明の一実施形態に係る無線ターミナルの別のデータカード単一ボードの構造概要図である。
【発明を実施するための形態】
【００１３】
本実施形態は、本発明の一実施形態に係る全部よりは単に一部を示している。当業者が、創作的な努力を伴うことなく本発明の実施形態に基づいて得られた全ての他の実施形態は、本発明の保護範囲内に属するものである。
（第１実施形態）
【００１４】
図１によれば、本発明に係る実施形態は、以下のステップを含む無線ターミナルのアンテナ設計方法を提供する。
【００１５】
ステップＳ１１では、他の金属配線を有しない半閉鎖領域が、無線ターミナルのデータカード単一ボード上において、分離される。
【００１６】
具体的な実施において、その半閉鎖領域は、データカード単一ボードの一面上に分離されており、如何なる他の金属構成要素も、半閉鎖領域のプリント配線板上に配置されておらず、又は、半閉鎖領域のプリント配線板は切断されている。半閉鎖領域の外側のデータカード単一ボードは、他の金属構成要素を配置するように構成されている。
【００１７】
ステップＳ１２では、アンテナ配線が半閉鎖領域に配置される。半閉鎖領域において、アンテナ配線とデータカード単一ボードとの間には隙間が存在する。アンテナ配線は、隙間を介してデータカード単一ボードと結合している。
【００１８】
配置されたアンテナ配線は、半閉鎖領域のプリント配線板上に印刷されているか、半閉鎖領域において半田付けされている。更に、配置されたアンテナ配線は、非金属性媒体（例えば、空気）によって、データカード単一ボードから離間している。ここで、非金属性媒体が分布されている領域は、本発明において隙間である（以下においても、同様である）。
【００１９】
本発明の実施形態によって提供される無線ターミナルのアンテナ設計方法において、他の金属配線を有しない半閉鎖領域は、無線ターミナルのデータカード単一ボード上に離間されており、アンテナ配線は半閉鎖領域に配置されている。データカード単一ボードは、一般的に無線ターミナルの中央に位置しており、この場合、アンテナ配線から無線ターミナルのカバーまでの距離が最も長く、アンテナは、SAR試験のための人体胴体モデルまで極度に離れている。その結果、ＳＡＲ値が低減する。アンテナ配線は、隙間を介してデータカード単一ボードと結合している。その結果、アンテナにおける電界エネルギーは、隙間内のデータカード単一ボードとの複数の共鳴点を生成し、その結果、広帯域の動作バンド幅を実現することができる。更に、電界エネルギーは、隙間内で隙間連結法によって相対的に長く分散している。それによって、エネルギーの分布の中央集中化が抑制されると共に、ＳＡＲ値の低減が達成される。
【００２０】
典型的な設計方法において、半閉鎖領域は、無線ターミナルのデータ通信インターフェース、例えば、ユニバーサル・シリアル・バス（ＵＳＢ）インターフェース、パーソナルコンピューターメモリーカード国際協会(PCMCIA) インターフェース、エクスプレスインターフェース又はその他のインターフェースに隣接するデータカード単一ボードの一端部に設けられ得る。これによって、アンテナ上のエネルギーの分布を携帯可能なデバイスに容易に適用することが可能であり、ＳＡＲ値が低減される。
【００２１】
アンテナ配線は、隙間が増えるように、Ｅ字状又は櫛状で水平方向に分布するように設計されることができ、隙間を介してアンテナ配線がデータカード単一ボードと結合する。従って、アンテナ配線における電界エネルギーによって隙間を介するデータカード単一ボードとのより多くの共鳴点が生成され得る。
【００２２】
選択的に、一以上のアンテナマッチング点（antenna matching points）は、データカード単一ボードとアンテナ配線との間の隙間に配置されている。ここで、アンテナマッチング点は、蓄電器、インダクタ及び抵抗器のようなデバイスの一以上の組み合わせであることができる。アンテナマッチング点は、アンテナ配線とデータカード単一ボードとの間の結合点の位置を調節するように構成され、アンテナ配線における電界エネルギーによって、隙間における適切な位置において複数の共鳴点が生成される。
【００２３】
高周波数信号は、アンテナフィーダ及びアンテナマッチングネットワークを介して供給される。アンテナの共鳴特性は、アンテナマッチングネットワークの調整パラメータによって調整されることができ、アンテナ配線の形状を最適化し、データカード単一ボードとアンテナ配線との間の隙間を最適化する。更に、アンテナの共鳴特性は、アンテナマッチング点と隙間におけるアンテナマッチング点の位置とのパラメータを調整することで更に調整することができ、最終的には、８００MHz〜２５００MHzで動作すると共にＵＷＢ及び低ＳＡＲ値を有するアンテナが実現される。
【００２４】
一例示的な設計方法において、金属結合部分（metal coupling piece）は、アンテナ配線上を覆っており、金属結合部分はアンテナ配線の上側層及び下側層上を覆っていることができ、又はアンテナ配線の上側層又は下側層のみを全体的に又は部分的に覆っていることができる。具体的な実施において、金属結合部分は、アンテナ配線が位置する印刷された層の上側層、又は下側層、或いは上側層及び下側層に追加されることができ、金属結合部分は、印刷された層の間の空気媒体又は非金属性媒体によってアンテナ配線と結合する。金属結合部分は、半閉鎖領域に位置しており、その形状は必要に応じて調整される。金属結合部分は、長方形、正方形、円形、斜方形（rhombus）、台形、及び三角形の形状であることができ、又は不規則な形状であることができる。金属結合部分は、アンテナ配線から完全に絶縁されていることができ、又は適切な箇所で一以上の導電性の連結箇所を追加することでアンテナ配線に導電的に接続され得る。
【００２５】
金属結合部分とデータカード単一ボードとの間には隙間が存在する。金属結合部分は、隙間を介してデータカード単一ボードに結合しており、アンテナ配線とデータカード単一ボードとの間に第２結合を実現する。すなわち、アンテナ配線における電界は金属結合部分と最初に結合し、その後、隙間を介して金属結合部分によってデータカード単一ボードと結合する。
【００２６】
データカード単一ボードとアンテナ配線との間の隙間に配置された一以上のアンテナマッチング点は金属結合部分とデータカード単一ボードとの間の結合位置を調整するように更に構成されている。
【００２７】
高周波信号は、アンテナフィーダ及びアンテナマッチングネットワークを通じて、アンテナに供給される。アンテナの共鳴特性は、アンテナマッチングネットワークのパラメータを調整し、アンテナ配線の形状を最適化し、金属結合部分の形状を最適化し、金属結合部分のみならずデータカード単一ボードとアンテナ配線との間の隙間を最適化することで調整され得る。更に、アンテナ共鳴特性は、アンテナマッチング点のパラメータと隙間におけるアンテナマッチング点の位置とを調整することで、更に調整することができ、最終的には、800 MHz〜2500 MHzの範囲内で動作すると共にＵＷＢ及び低ＳＡＲ値を有するアンテナが実現される。
（第２実施形態）
【００２８】
図２に示されているように、他の金属配線を有しない半閉鎖領域２０は、ＵＳＢインターフェースに隣接しているデータカード単一ボード２１の一部分上に分離されている。半閉鎖領域２０は、図２に示されているように長方形に限定されず、正方形、円形、斜方形（rhombus）、台形、及び三角形の形状であることができ、又は不規則な形状であることができる。半閉鎖領域２０は、アンテナ配線２３と、アンテナ配線２３及びデータカード単一ボード２１の間の隙間２４と、アンテナマッチング点２５と、を含む。アンテナマッチングネットワーク２６及びアンテナフィーダ２７は、半閉鎖領域２０の外部のデータカード単一ボード２１上に印刷されている。更に、アンテナネットワーク２６は、半閉鎖領域２０の端部位置に位置しており、アンテナフィーダ２７がアンテナマッチングネットワーク２６を介してアンテナ配線２３に連結されている。
【００２９】
アンテナ配線２３は、限定されないが、図２に示されているようにＥ字状であり、水平方向に分布する櫛形であることもできる。アンテナ配線２３は、半閉鎖領域２０に印刷、又は半田付けで設けられている。アンテナ配線２３は、隙間を介してデータカード単一ボード２１に結合しており、隙間の長さはＥ字状又は櫛状のアンテナ配線２３と共に増加し、アンテナ配線２３における電界エネルギーは、隙間２４を介してデータカード単一ボード２１とのより多くの共鳴点を生成し、要求される動作バンド幅が実現される。
【００３０】
アンテナ設計領域２０は、ＵＳＢインターフェース２２に隣接する部位に位置しており、そのため、アンテナ上のエネルギーの携帯可能なデバイスへの分散が容易になる。アンテナ配線２３は、アンテナ設計領域２０に印刷されており、又は半田付けされている。データカード単一ボード２１は、一般的に無線ターミナルの中央に位置しており、このとき、アンテナ配線２３から無線ターミナルのカバーへの距離が最も遠く、その結果、アンテナがSAR試験のための人体胴体モデルから極度に離れ、ＳＡＲ値が低減する。一方、アンテナ配線２３は、相対的に長い隙間において、データカード単一ボード２１と結合することができ、アンテナ配線２３における電界エネルギーによって、隙間２４内にデータカード単一ボード２１との複数の共鳴点が生成され、その結果、広帯域の動作バンド幅が実現される。更に、隙間を介した電界エネルギーは、相対的に長い隙間に分布され得る。それによって、エネルギー分布の中央化が抑制され、ＳＡＲ値の低減という目標が実現される。
【００３１】
アンテナマッチング点２５は、アンテナ配線２３とデータカード単一ボード２１との間の隙間２４内に位置している。一以上のアンテナマッチング点２５が配置されていることができ、隙間２４内における位置は調整されることができる。アンテナマッチング点２５は、アンテナ配線２３とデータカード単一ボード２１との間の結合点の位置を調整するように構成され、アンテナ配線２３における電界エネルギーによって隙間における適切な位置で複数の共鳴点が形成される。
【００３２】
高周波信号は、アンテナマッチングネットワーク２６を介してアンテナフィード２７によってアンテナ配線２３に供給される。アンテナの共鳴特性は、アンテナ配線２３の形状を最適化し、データカード単一ボード２１とアンテナ配線２３との間の隙間２４を最適化することで調整されることができる。更に、アンテナの共鳴特性は、アンテナマッチングネットワーク２６のパラメータ、アンテナマッチング点２５のパラメータ、隙間２４におけるアンテナマッチング点２５の位置を調整することで更に調整することができ、８００ＭＨｚ〜２５００ＭＨｚの範囲内で動作すると共にＵＷＢ及び低ＳＡＴ値を有するアンテナ設計が実現できる。
（第３実施形態）
【００３３】
図３に示されているように、第３実施形態は第２実施形態と、金属結合部分３０がアンテナ配線２３上を覆っており、金属結合部分３０は、印刷層間の非金属性媒体又は空気媒体によって、アンテナ配線２３と結合している。隙間２８は、金属結合部分３０と、データカード単一ボード２１との間に存在し、金属結合部分３０は、隙間２８を介してデータカード単一ボード２１と結合しており、その結果、アンテナ配線２３とデータカード単一ボード２１との第２結合が実現される。
【００３４】
図３に示されているように、他の金属配線を有さない半閉鎖領域２０は、ＵＳＢインターフェース２２に隣接しているデータカード単一ボード２１の一部分上に分離されている。半閉鎖領域２０は、長方形、正方形、円形、斜方形（rhombus）、台形、及び三角形の形状であることができ、又は不規則な形状の何れの規則的な形状を有することができる。半閉鎖領域２０は、アンテナ配線２３と、金属結合部分３０と、アンテナ配線とデータカード単一ボードとの間の隙間２４と、金属結合部分とデータカード単一ボードとの隙間２８と、アンテナマッチング点２９とを含む。アンテナマッチングネットワーク２６及びアンテナフィーダ２７は、半閉鎖領域２０の外側のデータカード単一ボード上に印刷されている。更に、アンテナマッチングネットワーク２６は、半閉鎖領域２０の端部に位置しており、アンテナフィーダ２７は、アンテナマッチングネットワーク２６を介してアンテナ配線２３と連結している。
【００３５】
隙間２４を介してアンテナ配線がデータカード単一ボードと結合しており、隙間２４の長さが増加するように、アンテナ配線２３が、Ｅ字状又は水平方向に分布する櫛状であることができ、アンテナ配線２３は、印刷法又は半田付け法で、半閉鎖領域２０内に配置されている。金属結合部分３０は、アンテナ配線２３上を覆っており、半閉鎖領域２０に位置している。隙間２８は、金属結合部分３０とデータカード単一ボード２１との間に存在し、金属結合部分３０は、隙間２８を介してデータカード単一ボード２１と結合する。従って、一側面において、アンテナ配線２３は、隙間２４を介してデータカード単一ボード２１と直接的に結合していることができ、他の一側面において、アンテナ配線２３は、最初にエネルギーの一部を金属結合部分３０に結合することができ、その後、金属結合部分３０が、隙間２８を介してデータカード単一ボード２１と結合する。
【００３６】
金属結合部分３０は、図３に示されているような長方形に限定されず、正方形、円形、斜方形（rhombus）、台形、及び三角形の形状であることができ、又は不規則な形状であることができる。金属結合部分３０は、アンテナ配線２３から完全に絶縁されていることができ、適切な位置で一以上の導電性連結箇所を追加することでアンテナ配線２３と導電的接続されている。
【００３７】
アンテナ設計領域２０は、ＵＳＢインターフェース２２に隣接する位置に位置しており、そのため、アンテナ上のエネルギー分布を携帯可能なデバイスへ容易に利用することができる。アンテナ配線２３は、アンテナ設計領域２０内に印刷又は半田付けされており、アンテナ配線２３から無線ターミナルのカバーまでの距離が最も長く、その結果、アンテナがSAR試験のための人体胴体モデルから極度に離れ、ＳＡＲ値が低減する。一方、アンテナ配線２３は、隙間を介して金属結合部分３０及びデータカード単一ボード２１と何度も結合しているので、複数の共鳴点が生成されて広帯域の動作バンド幅が実現される。更に、アンテナ配線２３及び金属結合部分３０の電界エネルギーは、隙間連結法で相対的に長い隙間に分布されており、それによって、エネルギー分布の中央集中化が低減されると共に、ＳＡＲ値の低減という目的が実現される。
【００３８】
アンテナマッチング点２９は、アンテナ配線２３及び/又は金属結合部分３０とデータカード単一ボード２１との間の隙間に位置している。一以上のアンテナマッチング点２９が配置されることができ、その位置は調整されることができる。アンテナマッチング点２９は、アンテナ配線２３及び／又は金属結合部分３０とデータカード単一ボード２１との間の結合点の位置を調整するように構成され、アンテナ配線２３の電界エネルギーが、隙間における適切な位置で複数の共鳴点を形成する。
【００３９】
高周波信号は、アンテナマッチングネットワーク２６を通じて、アンテナフィーダ２７によってアンテナ配線２３に供給される。アンテナの共鳴特性は、アンテナマッチングネットワーク２６のパラメータを調整し、アンテナ配線２３の形状を最適化し、金属結合部分３０を最適化し、データカード単一ボード２１と金属結合部分３０との間の隙間２８を最適化し、データカード単一ボード２１とアンテナ配線２３との間の隙間２４を最適化することで調整され得る。更に、アンテナの共鳴特性は、アンテナマッチング点２９のパラメータと、隙間２８及び／又は２４におけるアンテナマッチング点２９の位置とを調整することで更に調整することができ、最終的には、８００ＭＨｚ〜２５００ＭＨｚの範囲で動作すると共に、ＵＷＢ及び低ＳＡＲ値を有するアンテナ設計を実現することができる。
（第４実施形態）
【００４０】
図２及び図３に示されているように、本発明の実施形態は、無線ターミナルのデータカード単一ボード上に位置していると共に他の金属配線を有しておらず、且つ長方形、正方形、円形、斜方形（rhombus）、台形、及び三角形の形状であることができ、又は不規則な形状であることができる半閉鎖領域２０と、半閉鎖領域２０に配置されているアンテナ配線２３と、を含み、アンテナ配線２３とデータカード単一ボードとの間に隙間が存在しており、アンテナ配線２３が隙間を介してデータカード単一ボードと結合している、無線ターミナルのデータカード単一ボードを提供する。
【００４１】
好ましくは、半閉鎖領域２０は、無線ターミナルのデータ通信インターフェースに隣接しているデータカード単一ボードの一端部に位置しており、これによって、アンテナのエネルギーを携帯可能なデバイスに容易に利用できる。
【００４２】
好ましくは、アンテナ配線２３が水平方向に分布している。水平方向の分布は、限定されていないが、図２及び３に示されているように図Ｅ字状であることができ、水平方向に分布する櫛状であることができる。アンテナ配線２３は、印刷法で又は半田付け法で、半閉鎖領域に配置される。隙間を介してアンテナ配線がデータカード単一ボードと結合しており、隙間の長さは、Ｅ字状又は櫛状のアンテナ配線と共に増加している。アンテナ配線２３における電界エネルギーは、隙間２４を介してデータカード単一ボード２１とのより多くの共鳴点を生成させ、所望の動作バンド幅を実現することができる。
【００４３】
選択的に、無線ターミナルのデータカード単一ボードは、更に、少なくとも一つのアンテナマッチング点２５を含む。少なくとも一つのアンテナマッチング点２５は、アンテナ配線２３とデータカード単一ボードとの間の隙間に配置されており、アンテナ配線とデータカード単一ボードとの間の結合点の位置を調整するように配置されている。
【００４４】
好ましくは、無線ターミナルのデータカード単一ボードは、アンテナ配線２３上を覆っている金属結合部分３０を更に備える。ここで、金属結合部分３０とデータカード単一ボードとの間に隙間が存在し、金属結合部分３０は、データカード単一ボードと隙間を介して結合し、アンテナ配線とデータカード単一ボードとの間に第２結合が実現される。そのため、一側面において、アンテナ配線２３が隙間２４を介してデータカード単一ボード２１と直接結合することができる。他の側面では、アンテナ配線２３が、まず、エネルギーの一部を金属結合部分３０と結合し、その後、金属結合部分３０が隙間２８を介してそのエネルギーをデータカード単一ボード２１と結合する。この場合において、アンテナマッチング点２９が金属結合部分３０とデータカード単一ボードとの間の結合点位置に調整するように更に構成されており、アンテナ配線内の電界エネルギーは隙間における適切な位置で複数の共鳴点を形成する。
【００４５】
アンテナ配線２３は半閉鎖領域２０に配置されている。データカード単一ボードは、無線ターミナルの中央に位置しており、このとき、アンテナ配線と無線ターミナルのカバーとの距離が最も長くなり、その結果、アンテナがSAR試験のための人体胴体モデルから極度に離れ、ＳＡＲ値が低減する。一方、アンテナ配線２３は、相対的に長い隙間２４内のデータカード単一ボードと結合することができ、アンテナ配線２３における電界エネルギーは、隙間２４内にデータカード単一ボードとの複数の共鳴点を形成する。金属結合部分３０は、データカード単一ボード２１と隙間２８を介して何度も結合し、広帯域の動作バンド幅が実現される。更に、アンテナ配線における電界エネルギーは、相対的に長い隙間、金属結合部分、及びアンテナ放射において隙間連結法によって分布されることができ、これによって、エネルギー分布の中央集中化を抑制することができ、ＳＡＲ値低減という目的が実現される。
【００４６】
結論としては、本発明の実施形態において、他の金属配線を有しない半閉鎖領域がデータカード単一ボード上に分離されており、半閉鎖領域はアンテナ配線及び隙間のような設計構成要素を含む。ＵＷＢ及び低ＳＡＲ値を有するアンテナ設計は、最終的に半閉鎖領域の形状及び半閉鎖領域内の設計構成要件を最適化することで実現される。
【００４７】
上記の実施形態は、本発明を限定するものではない。本発明の原則から離れない当業者による如何なる変形、等価な置換又は改善は、本発明の保護範囲に含まれる。
【符号の説明】
【００４８】
２０  半閉鎖領域
２１  データカード単一ボード
２２  ＵＳＢインターフェース
２３  アンテナ配線
２４  隙間
２５  アンテナマッチング点
２６  アンテナマッチングネットワーク
２７  アンテナフィーダ
２８  隙間
２９  アンテナマッチング点
３０  金属結合部分
【図１】
0005472662.tif 000002
【図２】
0005472662.tif 000003
【図３】
0005472662.tif 000004